(57)【特許請求の範囲】
【請求項１】
ネスティング及びスタッキング可能な上面開放の箱形構造物であるＳＮコンテナーの上面開口を塞ぐコンテナー蓋であって、
前記ＳＮコンテナーの側壁から外側に複数の角溝壁が膨出し、それら角溝壁が前記ＳＮコンテナーの底壁下面に一体形成された座部の外側面まで延長されると共に、それら各角溝壁の下端外側角部を幅方向全体に亘り、前記座部に接近した途中位置までＬ字形に切り欠いて、前記各角溝壁の下端部に、前記座部の外側面から張り出した１対の寄せリブとそれら寄せリブの上端外側に配置されて下方を向いたスタッキング当接面とが形成され、
前記ＳＮコンテナー同士をスタッキングした際には、上側の前記ＳＮコンテナーの前記スタッキング当接面が下側の前記ＳＮコンテナーの上面に備えたスタッキング載置部に当接すると共に、前記寄せリブが下側の前記ＳＮコンテナーの側壁内面に突き合わされ、前記ＳＮコンテナー同士をネスティングした際には、上側の前記ＳＮコンテナーの前記角溝壁が下側の前記ＳＮコンテナーにおける前記角溝壁の内側に受容されるＳＮコンテナー用のコンテナー蓋において、
前記スタッキング載置部を上方から覆う載置部カバー壁と、
前記載置部カバー壁に対して段付き状に陥没し、上方から前記ＳＮコンテナーの前記座部を受容可能な座部受容部と、
前記座部受容部のうち前記載置部カバー壁から下方に屈曲した段差壁の一部を前記寄せリブとの干渉を避けるように切除してなるリブ逃がし孔とを備えたことを特徴とするコンテナー蓋。
【請求項２】
前記ＳＮコンテナーには、その側壁の上方延長位置に配置されて前記スタッキング載置部から上方に突出し、他の前記ＳＮコンテナーにおける前記角溝壁の下端開口から内側に突入可能な上面突起が設けられ、
前記載置部カバー壁を、前記上面突起の上方に配置すると共に前記ＳＮコンテナーの側壁に対する上方延長位置で下方に屈曲させて前記座部受容部の前記段差壁を形成し、その段差壁のうち前記上面突起と対向する部分を前記座部受容部の中央側に膨出させて突起カバー部を設け、その突起カバー部の両側縁部を切除して前記リブ逃がし孔を形成したことを特徴とする請求項１に記載のコンテナー蓋。
【請求項３】
前記載置部カバー壁、前記突起カバー部及び前記リブ逃がし孔を、前記角溝壁の上方位置と前記スタッキング載置部の上方位置との両方に設けたことを特徴とする請求項２に記載のコンテナー蓋。
【請求項４】
前記座部受容部を２分割して、それら２つの座部受容部の間に前記座部受容部より隆起した中央区画部を形成し、前記ＳＮコンテナーを２分割した大きさの小型ＳＮコンテナーを２つ横並びに配置して前記コンテナー蓋を上方から装着したときに、それら小型ＳＮコンテナーにおける隣り合った側壁上部が前記中央区画部に下方から受容されるようにしたことを特徴とする請求項１乃至３の何れかに記載のＳＮコンテナー。
【発明の詳細な説明】
【技術分野】
【０００１】
本発明は、ＳＮコンテナーの上面開口を塞ぐためのコンテナー蓋に関する。
【背景技術】
【０００２】
図２２に示した従来のＳＮコンテナー１は、側壁１Ｓの一部を外側に膨出させて複数の角溝壁２を備えると共に、上面の一部を陥没させて複数のスタッキング載置部３を設けた構造になっている。そして、スタッキングした際には（図示せず）、上側のＳＮコンテナー１における各角溝壁２の下端面が下側のＳＮコンテナー１における各スタッキング載置部３の上面に当接し、上側のＳＮコンテナー１の下端部が下側のＳＮコンテナー１に受容される。また、このＳＮコンテナー１に取り付け可能なコンテナー蓋４は、ＳＮコンテナー１の上面に重ねて敷設される主板部４Ａの外縁部に囲壁４Ｂを突出形成した構造になっている。そして、図２３に示すように、コンテナー蓋４を装着したＳＮコンテナー１の上に別のＳＮコンテナー１を載置すると、上側のＳＮコンテナー１の下面がコンテナー蓋４の主板部４Ａに当接する。このため、コンテナー蓋４を挟まずにＳＮコンテナー１，１同士をスタッキングした場合に比べて、コンテナー蓋４を挟んでＳＮコンテナー１，１同士を積み上げたときには、コンテナー蓋４における主板部４Ａの上面とその下側のＳＮコンテナー１におけるスタッキング載置部３の上面との間の高低差分Ｌ１（図２３参照）だけ、積み上げ高さが増すことになる（例えば、特許文献１参照）。
【０００３】
別の従来のＳＮコンテナーとして、本発明の第１実施形態で詳説する寄せリブ付きのＳＮコンテナー１０（図１参照）が知られている。このＳＮコンテナー１０は、図１に示すように、底壁１５の下面に座部１５Ｚを備えると共に、上記したＳＮコンテナー１より、各側壁１６，１６，２０，２０の鉛直方向に対する傾斜角が大きくなっている。このため、図３に示すように、スタッキングした際に、上側のＳＮコンテナー１０の下端部外面と下側のＳＮコンテナー１０の上端部内面との間の隙間が上記ＳＮコンテナー１に比べて大きくなる。そこで、この種のＳＮコンテナー１０では角溝壁２２を座部１５Ｚの外側面まで延長すると共に、それら各角溝壁２２の下端外側角部をＬ字形に切り欠くことで、角溝壁２２の下端部に１対の寄せリブ２３とそれら寄せリブ２３の上端外側に配置されて下方を向いたスタッキング当接面２２Ｄとを備えた構造になっている。そして、スタッキングした際に、上側のＳＮコンテナー１０のスタッキング当接面２２Ｄが下側のＳＮコンテナー１０のスタッキング載置部２４の上面に当接すると共に、寄せリブ２３が下側のＳＮコンテナー１０の側壁２０，２０の内面に突き合わされて横ずれを防止する（例えば、特許文献２参照）。なお、この寄せリブ付きのＳＮコンテナー１０に装着可能なコンテナー蓋は、現時点では存在しない。
【特許文献１】特開２００１−９７３８０号公報（第１図，第６図，第７図，第１１図，第１２図，第１４図）
【特許文献２】特開２００７−１３７４７９号公報（第１図、第３図、第４図）
【発明の開示】
【発明が解決しようとする課題】
【０００４】
ところで、上記寄せリブ付きのＳＮコンテナー１０に装着可能なコンテナー蓋のニーズが近年増してきている。そこで、図２４に示すように、寄せリブ付きＳＮコンテナー用のコンテナー蓋９を、上記した従来のコンテナー蓋４と同様に、主板部９Ａの外縁部に囲壁９Ｂを突出形成した構造を検討した。しかしながら、この構造のコンテナー蓋９では、スタッキング状態の積み上げ高さに対し（図１２参照）、図２５に示すようにコンテナー蓋９を間に挟んだ場合の積み上げ高さが、主板部９Ａの上面とスタッキング載置部２４の上面との間の高低差Ｌ１と、座部１５Ｚの下面とスタッキング当接面２２Ｄとの間の高低差Ｌ２とを合わせた分だけ増加することになり、その積み上げ高さの増加分が問題になっていた。
【０００５】
本発明は、上記事情に鑑みてなされたもので、寄せリブ付きのＳＮコンテナーに装着可能なコンテナー蓋でありかつコンテナー蓋を挟んでＳＮコンテナーを積み上げた際の積み上げ高さを抑えることが可能なコンテナー蓋の提供を目的とする。
【課題を解決するための手段】
【０００６】
上記目的を達成するためになされた請求項１の発明に係るコンテナー蓋は、ネスティング及びスタッキング可能な上面開放の箱形構造物であるＳＮコンテナーの上面開口を塞ぐコンテナー蓋であって、ＳＮコンテナーの側壁から外側に複数の角溝壁が膨出し、それら角溝壁がＳＮコンテナーの底壁下面に一体形成された座部の外側面まで延長されると共に、それら各角溝壁の下端外側角部を幅方向全体に亘り、座部に接近した途中位置までＬ字形に切り欠いて、各角溝壁の下端部に、座部の外側面から張り出した１対の寄せリブとそれら寄せリブの上端外側に配置されて下方を向いたスタッキング当接面とが形成され、ＳＮコンテナー同士をスタッキングした際には、上側のＳＮコンテナーのスタッキング当接面が下側のＳＮコンテナーの上面に備えたスタッキング載置部に当接すると共に、寄せリブが下側のＳＮコンテナーの側壁内面に突き合わされ、ＳＮコンテナー同士をネスティングした際には、上側のＳＮコンテナーの角溝壁が下側のＳＮコンテナーにおける角溝壁の内側に受容されるＳＮコンテナー用のコンテナー蓋において、スタッキング載置部を上方から覆う載置部カバー壁と、載置部カバー壁に対して段付き状に陥没し、上方からＳＮコンテナーの座部を受容可能な座部受容部と、座部受容部のうち載置部カバー壁から下方に屈曲した段差壁の一部を寄せリブとの干渉を避けるように切除してなるリブ逃がし孔とを備えたところに特徴を有する。
【０００７】
請求項２の発明は、請求項１に記載のコンテナー蓋において、ＳＮコンテナーには、その側壁の上方延長位置に配置されてスタッキング載置部から上方に突出し、他のＳＮコンテナーにおける角溝壁の下端開口から内側に突入可能な上面突起が設けられ、載置部カバー壁を、上面突起の上方に配置すると共にＳＮコンテナーの側壁に対する上方延長位置で下方に屈曲させて座部受容部の段差壁を形成し、その段差壁のうち上面突起と対向する部分を座部受容部の中央側に膨出させて突起カバー部を設け、その突起カバー部の両側縁部を切除してリブ逃がし孔を形成したところに特徴を有する。
【０００８】
請求項３の発明は、請求項２に記載のコンテナー蓋において、載置部カバー壁、突起カバー部及びリブ逃がし孔を、角溝壁の上方位置とスタッキング載置部の上方位置との両方に設けたところに特徴を有する。
【０００９】
請求項４の発明は、請求項１乃至３の何れかに記載のＳＮコンテナーにおいて、座部受容部を２分割して、それら２つの座部受容部の間に座部受容部より隆起した中央区画部を形成し、ＳＮコンテナーを２分割した大きさの小型ＳＮコンテナーを２つ横並びに配置してコンテナー蓋を上方から装着したときに、それら小型ＳＮコンテナーにおける隣り合った側壁上部が中央区画部に下方から受容されるようにしたところに特徴を有する。
【発明の効果】
【００１０】
［請求項１の発明］
請求項１のコンテナー蓋を間に挟んでＳＮコンテナー同士を積み上げると、コンテナー蓋に備えた座部受容部に上方からＳＮコンテナーの座部が受容される。ここで、座部受容部の段差壁にリブ逃がし孔が設けられているので、寄せリブと座部受容部の段差壁との干渉が回避され、確実にＳＮコンテナーの座部を座部受容部に受容することができる。そして、上側のＳＮコンテナーにおけるスタッキング当接面が、コンテナー蓋の載置部カバー壁に上方から当接する。従って、コンテナー蓋を外した状態でＳＮコンテナー同士をスタッキングした場合に比べ、請求項１のコンテナー蓋を間に挟んでＳＮコンテナー同士を積み上げた場合の積み上げ高さの増加量は、コンテナー蓋における載置部カバー壁の上面と、スタッキング載置部の上面との間の高低差のみに抑えられる。即ち、本発明のコンテナー蓋の構成によれば、寄せリブ付きのＳＮコンテナーに装着可能でありかつ、コンテナー蓋を挟んでＳＮコンテナーを複数積み上げた際の積み上げ高さを従来より抑えることができる。
【００１１】
［請求項２の発明］
請求項２のコンテナー蓋をＳＮコンテナーに装着すると、コンテナー蓋の載置部カバー壁がＳＮコンテナーのスタッキング載置部に備えた上面突起を上方から覆って保護する。また、コンテナー蓋における座部受容部の段差壁から膨出した突起カバー部が、上面突起のうちＳＮコンテナーの内側から覆って保護する。さらに、その突起カバー部の両側縁部を切除してリブ逃がし孔が形成されているので、それらリブ逃がし孔によって寄せリブとコンテナー蓋との干渉が避けられると共に、リブ逃がし孔の周辺が突起カバー部によって立体構造になり、リブ逃がし孔を平坦な部分に形成した場合に比べて強度が増す。
【００１２】
［請求項３の発明］
請求項３のコンテナー蓋では、載置部カバー壁、突起カバー部及びリブ逃がし孔が、角溝壁の上方位置とスタッキング載置部の上方位置とに設けられているので、コンテナー蓋の上に載置されるＳＮコンテナーの角溝壁を、コンテナー蓋が装着された下側のＳＮコンテナーにおけるスタッキング載置部の真上に配置した状態と、その状態から上側のＳＮコンテナーのみを鉛直軸周りに１８０度旋回させた状態との２つの状態で、コンテナー蓋を挟んでＳＮコンテナー同士を積み上げることができる。
【００１３】
［請求項４の発明］
請求項４のコンテナー蓋によれば、ＳＮコンテナーとそのＳＮコンテナーを２分割した大きさの小型ＳＮコンテナーとの両方に用いることができる。
【発明を実施するための最良の形態】
【００１４】
［第１実施形態］
以下、本発明の第１実施形態を図１〜図１２に基づいて説明する。図１に示すように本実施形態のＳＮコンテナー１０は、上面が開放した箱形構造をなし、その平面形状は長方形になっている。また、ＳＮコンテナー１０の上端部からは、側方に上端フランジ壁１１が張り出され、その上端フランジ壁１１の下方位置からは補強フランジ壁１２が側方に張り出されている。そして、これら上端フランジ壁１１と補強フランジ壁１２との相互間が複数の補強リブ１３によって接合されている。
【００１５】
図２に示すようにＳＮコンテナー１０における底壁１５の下面には、長手方向に中間部を除いた全体に座部１５Ｚが一体形成されている。座部１５Ｚは、底壁１５に下面形成された格子形リブ１５Ｌの周囲を囲壁１５Ｈにて側方から囲んでなる。
【００１６】
図１に示すようにＳＮコンテナー１０のうち短辺側の１対の側壁１６，１６と、長辺側の１対の側壁２０，２０は共に下端側が内側に向かうように傾斜している。
【００１７】
長辺側の両側壁２０，２０には、それぞれ長手方向の４箇所に角溝壁２２が形成されている。これら角溝壁２２は、両側壁２０，２０の間で互いに異なる位置に配置されている。また、各角溝壁２２は、下方に向かって徐々に幅狭になっており、それら角溝壁２２の内側は上面に開放した受容溝２２Ｍになっている。具体的には、各角溝壁２２は、側壁２０，２０に対して側方に起立した１対の側方起立壁２２Ａ，２２Ａの先端間を溝奥壁２２Ｂで塞いでなり、座部１５Ｚの下端位置まで延設されている。そして、底壁１５から受容溝２２Ｍ内に向かって斜め上方に張り出した溝終端壁２２Ｃによって受容溝２２Ｍの下端部が閉塞されている。
【００１８】
図２に示すように、溝終端壁２２Ｃより下方で側方起立壁２２Ａ，２２Ａ及び溝奥壁２２Ｂに囲まれた空間は、下方に開放している。また、角溝壁２２のうちの溝終端壁２２Ｃより下方の下端外側角部は、幅方向全体に亘り、座部１５Ｚに接近した途中位置までＬ字形に切り欠かれている。これにより、座部１５Ｚの外側面から対をなして張り出した１対の寄せリブ２３，２３とそれら寄せリブ２３，２３の上端外側に配置されて下方を向いたスタッキング当接面２２Ｄとが形成されている。なお、スタッキング当接面２２Ｄは、座部１５Ｚの高さ方向ではその中間に位置している。
【００１９】
図１に示すように、短辺側の両側壁１６，１６には、その横方向における一端部を側方に膨出させて縦長の補助角溝壁１９，１９がそれぞれ成形されている。これら補助角溝壁１９，１９は、側壁１６，１６の間で互いに対向する位置に配置されている。また、各補助角溝壁１９は、角溝壁２２と同様に下方に向かって徐々に幅狭になっており、各補助角溝壁１９の内側は、上面に開放した拡張受容溝１９Ｍになっている。より具体的には、補助角溝壁１９は、側壁１６に対して側方に起立した１対の側方起立壁１９Ａ，１９Ａの先端間を溝奥壁１９Ｂで塞ぎかつ、側方起立壁１９Ａ，１９Ａの下端部間を溝終端壁１９Ｃで塞いだ構造になっている。また、溝終端壁１９Ｃは底壁１５から延設され、溝終端壁１９Ｃの外側下面からは筒壁１９Ｄが垂下している。この筒壁１９Ｄの下面は格子形リブ１５Ｌと面一になっている。
【００２０】
上端フランジ壁１１の上面には、その内縁側の複数位置を長方形に陥没させてスタッキング載置部２４が形成されている。そして、各スタッキング載置部２４の上面のうちＳＮコンテナー１０における上面開口１０Ｋの内縁部に沿った部分の中央から上面突起２４Ａが上方に突出している。その上面突起２４Ａは、側壁２０又は側壁１６の上方延長位置に配置され、上面突起２４Ａの一側面は、ＳＮコンテナー１０の内側面と面一になっている。そして、図３に示すようにＳＮコンテナー１０をスタッキングすると、図１２に示すように、上側のＳＮコンテナー１０におけるスタッキング当接面２２Ｄが下側のＳＮコンテナー１０におけるスタッキング載置部２４の上面に当接すると共に、上面突起２４Ａが角溝壁２２の下端開口の内側に突入する。また、図３に示すように、上側のＳＮコンテナー１０における座部１５Ｚ及び補助角溝壁１９の下端部（筒壁１９Ｄを含む）及び寄せリブ２３は、下側のＳＮコンテナー１０における上面開口１０Ｋ内に突入する。そして、寄せリブ２３が図１２に示すように側壁２０，２０の内面に突き合わされて、ＳＮコンテナー１０，１０が短辺方向の横ずれが規制される。また、上面突起２４Ａと角溝壁２２との凹凸係合によって、ＳＮコンテナー１０，１０が長辺方向の横ずれが規制される。
【００２１】
一方、図４に示すようにＳＮコンテナー１０をネスティングすると、上側のＳＮコンテナー１０の角溝壁２２及び補助角溝壁１９が下側のＳＮコンテナー１０における受容溝２２Ｍと拡張受容溝１９Ｍとに進入して、下側のＳＮコンテナー１０における上端フランジ壁１１に上側のＳＮコンテナー１０における補強フランジ壁１２が重なった状態になり、ＳＮコンテナー１０同士の積み上げ高さがスタッキング時に比べて低くなる。
【００２２】
図５に示すように、ＳＮコンテナー１０の上面開口１０Ｋは、本発明に係るコンテナー蓋３０によって閉塞可能になっている。このコンテナー蓋３０は、全体が長方形枠形の蓋枠壁３２を備え、その蓋枠壁３２の内側部分が全体的に陥没し、蓋枠壁３２の外縁部から下方に蓋側壁３３が垂れた構造になっている。なお、コンテナー蓋３０は樹脂の射出成形品である。
【００２３】
蓋側壁３３の高さ方向の上端部には、蓋側壁３３の全体に亘って段付き状の屈曲部３３Ｄが形成され、その屈曲部３３Ｄより下側部分が外側に拡がっている。そして、図１０に示すように、コンテナー蓋３０をＳＮコンテナー１０に装着すると、屈曲部３３Ｄにおける下向きの段差面がＳＮコンテナー１０の上端フランジ壁１１上面に当接する。
【００２４】
図６に示すように、蓋側壁３３の四隅からは、位置決め壁３３Ｍが内側に張り出している。これら蓋側壁３３によりコンテナー蓋３０が水平面内の縦横両方向でＳＮコンテナー１０に対して正規の位置に位置決めされる。また、蓋側壁３３の内面における所定箇所からは複数の係止爪３３Ｌが内側に突出している。それら係止爪３３Ｌは、蓋側壁３３の下端部から内側上方に向かった傾斜面を有している。そして、コンテナー蓋３０をＳＮコンテナー１０に装着すると、係止爪３３Ｌの傾斜面がＳＮコンテナー１０の上端フランジ壁１１に摺接して蓋側壁３３が拡開変形した後、係止爪３３Ｌが上端フランジ壁１１を通過して蓋側壁３３が復元し、係止爪３３Ｌが上端フランジ壁１１の下面に係止する。
【００２５】
図５に示すように、蓋枠壁３２の内縁部に沿った複数位置には、蓋枠壁３２の一部を長方形に陥没させて載置陥没部３０Ｋが形成されている。コンテナー蓋３０の長辺部分に配置された各載置陥没部３０Ｋは、ＳＮコンテナー１０の長辺部分で隣り合ったスタッキング載置部２４と受容溝２２Ｍ（図１参照）とに跨って上方から対向する位置に配置されている。また、コンテナー蓋３０の短辺部分に配置された各載置陥没部３０Ｋは、ＳＮコンテナー１０の短辺部分のスタッキング載置部２４とその近傍領域とに跨って上方から対向する位置に配置されている。そして、全ての載置陥没部３０Ｋが、コンテナー蓋３０の縦横両方向で左右対称に配置されている。
【００２６】
コンテナー蓋３０のうち蓋枠壁３２より内側部分は、載置陥没部３０Ｋの底の載置部カバー壁３１より更に下方に陥没して、本発明に係る座部受容部３０Ｚになっている。そして、座部受容部３０Ｚの底の下段天井壁３４を、コンテナー蓋３０の長手方向の中間部の除いた２箇所で長方形に陥没させてカード受容部３５，３５が形成されている。両カード受容部３５，３５には、コンテナー蓋３０の短辺側の外縁部寄り位置に１対ずつの係止爪３６Ａと係止突起３６Ｂとがそれぞれ形成されている。これら係止爪３６Ａ及び係止突起３６Ｂには、図示しないカードホルダーが取り付け可能になっている。そして、そのカードホルダーとカード受容部３５の底面との間にカードを挟んで保持することができる。また、そのカードの着脱を容易にするために、カード受容部３５，３５のうち互いに接近した側の段差部の中央には、カード受容部３５の底面と座部受容部３０Ｚの底面との間を緩やかに連絡した傾斜部３７が形成されている。
【００２７】
図１０に示すように、コンテナー蓋３０をＳＮコンテナー１０に装着すると、載置陥没部３０Ｋの底の載置部カバー壁３１は、上端フランジ壁１１に対して隙間を空けた上方に位置しかつ上面突起２４Ａを上方を覆う。そして、載置部カバー壁３１のうち上面突起２４Ａの両側部分は、下側のＳＮコンテナー１０における側壁２０の上方延長位置で下方に屈曲し、そのＳＮコンテナー１０のスタッキング載置部２４の上面内縁部に突き合わされている。また、載置部カバー壁３１のうち上面突起２４Ａの上方部分は、ＳＮコンテナー１０の側壁２０の上方延長位置で下方に屈曲して上面突起２４Ａの上面に突き合わされ、その上面突起２４Ａを避けて座部受容部３０Ｚの中央側に膨出し、上面突起２４Ａの内向側面２４Ｂを覆った突起カバー部４１になっている。
【００２８】
ここで、コンテナー蓋３０の樹脂成形による形状のばらつきを考慮して、突起カバー部４１によって上面突起２４Ａを内向側面２４Ｂ側から確実に覆うためには、図１１の二点鎖線で示したように、突起カバー部４１は上面突起２４Ａより幅広にすることが好ましい。しかしながら、そうすると、コンテナー蓋３０の上にＳＮコンテナー１０を載置した際に寄せリブ２３が突起カバー部４１の両側縁部に干渉することになる。そこで、本実施形態では突起カバー部４１の両側縁部を切除し、その結果、突起カバー部４１の両側にコンテナー蓋３０を表裏に貫通したリブ逃がし孔４２，４２が形成されている。
【００２９】
図１０に示すように、載置部カバー壁３１の上面からは上面突起２４Ａの延長上方に上面突起２４Ａと略同一形状の蓋上面突起４０が突出形成されている。また、載置部カバー壁３１の下方には、図７（Ｂ）に示すように、突起カバー部４１と共に上面突起２４Ａを囲む角筒を構成する角筒構成壁３１Ｈが形成されている。また、その角筒構成壁３１Ｈは、下段天井壁３４と載置部カバー壁３１とに一体形成されると共に、図１０に示すように、下端部がＳＮコンテナー１０のスタッキング載置部２４の上面に当接可能になっている。
【００３０】
ところで、上記した上面突起２４Ａの上方に配置された蓋上面突起４０は、コンテナー蓋３０を下側のＳＮコンテナー１０に対して鉛直軸周りに１８０度旋回して装着し直すと上面突起２４Ａの上方に位置しなくなる。そこで、コンテナー蓋３０をＳＮコンテナー１０に対して鉛直軸周りに１８０度向きが異なる何れの向きで取り付けても、ＳＮコンテナー１０における上面突起２４Ａの上方に蓋上面突起４０が配置されるように蓋上面突起４０は、各載置陥没部３０Ｋにおける２位置に設けられている。これと同様に、突起カバー部４１及びリブ逃がし孔４２，４２も、各載置陥没部３０Ｋにおける２位置に設けられている。そして、コンテナー蓋３０をＳＮコンテナー１０に装着したときに、各載置陥没部３０Ｋのうち何れか一方の位置の蓋上面突起４０、突起カバー部４１及びリブ逃がし孔４２がＳＮコンテナー１０における上面突起２４Ａの上方又は内側に位置し、他方の位置の蓋上面突起４０、突起カバー部４１及びリブ逃がし孔４２がＳＮコンテナー１０における角溝壁２２（受容溝２２Ｍ）の上方に位置するようになっている。
【００３１】
なお、図示しないが、蓋枠壁３２は載置陥没部３０Ｋ以外の部分においても下側のＳＮコンテナー１０における側壁１６又は側壁２０の上方延長位置で下方に屈曲されている。そして、図７（Ａ）に示すように、座部受容部３０Ｚにおける蓋枠壁３２との間の段差壁３４Ｅが形成されている。また、その段差壁３４Ｅは、座部受容部３０Ｚの下面側でクランク状に屈曲して段差壁３４Ｅの下端縁が座部受容部３０Ｚの中央側に張り出し、階段壁３８になっている。
【００３２】
本実施形態のＳＮコンテナー１０及びコンテナー蓋３０の構成は以上である。次に、上記構成からなる本実施形態の作用効果について説明する。図５に示すように、ＳＮコンテナー１０にコンテナー蓋３０を装着すると、そのコンテナー蓋３０における載置部カバー壁３１が、図１０に示すように、ＳＮコンテナー１０のスタッキング載置部２４に備えた上面突起２４Ａを上方から覆って保護する。また、座部受容部３０Ｚの段差壁３４Ｄから膨出した突起カバー部４１が上面突起２４Ａの内向側面２４Ｂを覆って保護する。
【００３３】
図８に示すように、コンテナー蓋３０を間に挟んでＳＮコンテナー１０，１０同士を積み上げると、図９に示すように、コンテナー蓋３０に備えた座部受容部３０Ｚに上方からＳＮコンテナー１０の座部１５Ｚが受容される。また、図１１に示すように、寄せリブ２３，２３は、座部受容部３０Ｚの段差壁３４Ｄに内側から突き合わされる。ここで、座部受容部３０Ｚの段差壁３４Ｄには、図７（Ａ）に示すようにリブ逃がし孔４２，４２が設けられているので、寄せリブ２３，２３と座部受容部３０Ｚの段差壁３４Ｄとの干渉が回避され、確実にＳＮコンテナー１０の座部１５Ｚを座部受容部３０Ｚに受容することができる。詳細には、段差壁３４Ｄのうち上面突起２４Ａを覆うために座部受容部３０Ｚの内側に膨出した突起カバー部４１の両側縁部を切除してリブ逃がし孔４２，４２を形成したので、コンテナー蓋３０及びＳＮコンテナー１０の成形誤差によって形状がばらついても、前記リブ逃がし孔４２，４２によって寄せリブ２３，２３と座部受容部３０Ｚの段差壁３４Ｄとの干渉が確実に避けられると共に、リブ逃がし孔４２の周辺が突起カバー部４１によって立体構造になり、リブ逃がし孔４２を平坦な部分に形成した場合に比べて強度が増す。そして、上側のＳＮコンテナー１０におけるスタッキング当接面２２Ｄが、コンテナー蓋３０の載置部カバー壁３１に上方から当接する。
【００３４】
ここで、本実施形態のコンテナー蓋３０によれば、図１０と図１２とに比較して示すように、コンテナー蓋３０を間に挟んでＳＮコンテナー１０，１０同士を積み上げた場合のスタッキング時に対する積み上げ高さの増加量が、コンテナー蓋３０における載置部カバー壁３１の上面と、スタッキング載置部２４の上面との間の高低差Ｌ１になり、従来よりコンテナー蓋９を用いた場合の積み上げ高さの増加量（図２５のＬ１＋Ｌ２）に比べて小さくなる。即ち、本実施形態のコンテナー蓋３０によれば、寄せリブ付きのＳＮコンテナー１０に装着可能でありかつ、コンテナー蓋３０を挟んでＳＮコンテナー１０を複数積み上げた際の積み上げ高さを従来より抑えることができる。
【００３５】
また、本実施形態のコンテナー蓋３０では、載置部カバー壁３１、突起カバー部４１及びリブ逃がし孔４２，４２が、下側のＳＮコンテナー１０における角溝壁２２（受容溝２２Ｍ）の上方位置とスタッキング載置部２４の上方位置とに配置されているので、コンテナー蓋３０の上に載置されるＳＮコンテナー１０の角溝壁２２を、コンテナー蓋３０が装着された下側のＳＮコンテナー１０におけるスタッキング載置部２４の真上に配置した状態（図８の状態）と、その状態からＳＮコンテナー１０を鉛直軸周りに１８０度旋回させた状態（図示せず）との２つの状態で、コンテナー蓋３０を挟んでＳＮコンテナー１０，１０同士を積み上げることができる。
【００３６】
［第２実施形態］
本実施形態は、図１３〜図１６に示されており、前記したＳＮコンテナー１０に小型ＳＮコンテナー５０を組み合わせて用いる場合を例示している。小型ＳＮコンテナー５０は、ＳＮコンテナー１０を長手方向の中心で２分割した大きさをなし、平面形状が長方形になっている。そして、小型ＳＮコンテナー５０の長辺がＳＮコンテナー１０の短辺と同じ長さになっており、小型ＳＮコンテナー５０の短辺がＳＮコンテナー１０の長辺の１／２の長さになっている。
【００３７】
図１４に示すように、小型ＳＮコンテナー５０の短辺側の側壁５２，５２には、ＳＮコンテナー１０における隣り合った角溝壁２２，２２と同じ間隔で同じ構造の角溝壁２２が対をなして設けられている。また、小型ＳＮコンテナー５０の長辺側の側壁５１，５１には、横方向の一端部にＳＮコンテナー１０と同じ構造の補助角溝壁１９が形成されている。さらに、小型ＳＮコンテナー５０の上端部には、ＳＮコンテナー１０の上端フランジ壁１１及び補強フランジ壁１２と同じ幅の上端フランジ壁５３及び補強フランジ壁５４が設けられ、それら上端フランジ壁５３と補強フランジ壁５４との間が補強リブ５５によって連結されている。これら以外に小型ＳＮコンテナー５０のうちＳＮコンテナー１０と同じ構成に関しては同一符号を付して重複説明は省略する。
【００３８】
さて、図１３に示すように、小型ＳＮコンテナー５０は２つ横並びにしてコンテナー蓋３０の上に積み上げることができる。この場合、小型ＳＮコンテナー５０の座部１５Ｚがコンテナー蓋３０における座部受容部３０Ｚに受容される。このとき、コンテナー蓋３０に備えたリブ逃がし孔４２，４２によって小型ＳＮコンテナー５０の寄せリブ２３と座部受容部３０Ｚの段差壁３４Ｄとの干渉が回避される。そして、各載置陥没部３０Ｋにおける載置部カバー壁３１の上面に小型ＳＮコンテナー５０のスタッキング当接面２２Ｄ（図１４参照）が当接した状態になる。
【００３９】
なお、図１５に示すように、小型ＳＮコンテナー５０は２つ横並びにしてＳＮコンテナー１０の上にスタッキングすることができると共に、それら横並びにされた２つの小型ＳＮコンテナー５０，５０の上にＳＮコンテナー１０をスタッキングすることもできる。さらには、図１６に示すように、ＳＮコンテナー１０内に２つの小型ＳＮコンテナー５０，５０を横並びにしてネスティングすることもでき、小型ＳＮコンテナー５０，５０同士のネスティング（図１６参照）や、小型ＳＮコンテナー５０，５０同士のスタッキング（図示せず）も可能になっている。
【００４０】
［第３実施形態］
本実施形態のコンテナー蓋３０Ｖは、図１７〜図２１に示されており、その長手方向の中央で座部受容部３０Ｚの下段天井壁３４を上方に隆起させて中央区画部４４を形成し、その中央区画部４４によって座部受容部３０Ｚを２分割した点が前記した第１及び第２の実施形態のコンテナー蓋３０と異なる。
【００４１】
具体的には、中央区画部４４は、蓋枠壁３２における１対の長辺部分の間を連絡するように延び、中央区画部４４の幅は、前記小型ＳＮコンテナー５０（図１３参照）の上端フランジ壁５３を２つ並べた大きさになっている。図１８に示すように、中央区画部４４の下面には、中央区画部４４の幅方向に延びた複数の縦リブ４６Ｂと中央区画部４４の長手方向に延びた横リブ４６Ａが形成されている。また、それら縦リブ４６Ｂ及び横リブ４６Ａの下面は下段天井壁３４の下面より上方に位置している。
【００４２】
図２１に示すように、中央区画部４４のうち幅方向で対向しかつ下段天井壁３４から起立した段差壁４４Ｄには、座部逃がしスリット４５が形成されている。各座部逃がしスリット４５は、段差壁４４Ｄの高さ方向の中間部より下方部分と下段天井壁３４のうち段差壁４４Ｄ寄りの縁部とに跨って形成され、中央区画部４４の長手方向の全体に亘って延びている。
【００４３】
本実施形態の構成に関する説明は以上である。次に、本実施形態の作用効果について説明する。図１９及び図２０に示すように、本実施形態のコンテナー蓋３０Ｖを、前記第２実施形態で説明した小型ＳＮコンテナー５０，５０を横並びにしてその上に載置すると、図２１に示すように、小型ＳＮコンテナー５０，５０の隣り合った上端フランジ壁５３，５３がコンテナー蓋３０Ｖにおける中央区画部４４の下方に受容される。このとき、中央区画部４４の両側の座部逃がしスリット４５，４５によって、小型ＳＮコンテナー５０における上端フランジ壁５３の内縁部と下段天井壁３４の縁部との干渉が回避される。また、そのコンテナー蓋３０Ｖの上にＳＮコンテナー１０を載置すると、そのＳＮコンテナー１０の下面に備えた座部１５Ｚ，１５Ｚがコンテナー蓋３０Ｖのうち中央区画部４４によって区画された座部受容部３０Ｚ，３０Ｚにそれぞれ受容される。このとき、中央区画部４４の両側の座部逃がしスリット４５，４５によって、座部１５Ｚの下端角部と中央区画部４４の側部の段差壁４４Ｄとの干渉が回避される。これらにより本実施形態のコンテナー蓋３０Ｖは、ＳＮコンテナー１０と小型ＳＮコンテナー１０との両方に用いることができる。
【００４４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）前記コンテナー蓋３０，３０Ｖの載置部カバー壁３１は、ＳＮコンテナー１０における上面突起２４Ａを上方から覆う構成であったが、ＳＮコンテナー１０から上面突起２４Ａを排除し、載置部カバー壁３１がスタッキング載置部２４の上面に重ねられるように配置してもよい。そして、段差壁３４ＤがＳＮコンテナー１０の側壁内面に重ねられるように配置し、その段差壁３４Ｄに寄せリブ２３との干渉を避けるためのリブ逃がし孔を縦長のスリット状に形成してもよい。
【００４６】
（２）前記コンテナー蓋３０，３０Ｖにはカード受容部３５が陥没形成されていたが、カード受容部３５を排除した構成にしてもよい。
【００４７】
（３）前記第１及び第２の実施形態におけるＳＮコンテナー１０は、補助角溝壁１９を有していたが、補助角溝壁１９を有しない構造にしてもよい。
【００４８】
（４）前記第１及び第２の実施形態におけるＳＮコンテナー１０では、角溝壁２２が長辺側の側壁２０のみに配置されていたが、短辺側の側壁１６の補助角溝壁１９を角溝壁２２に替え、角溝壁２２を短辺側と長辺側の両側壁１６，２０に備えた構成にしてもよい。
【図面の簡単な説明】
【００４９】
【図１】本発明の第１実施形態に係るＳＮコンテナーの上面側斜視図
【図２】ＳＮコンテナーの下面側斜視図
【図３】スタッキング状態に積み上げられたＳＮコンテナーの上面側斜視図
【図４】ネスティング状態に積み上げられたＳＮコンテナーの上面側斜視図
【図５】コンテナー蓋が装着されたＳＮコンテナーの上面側斜視図
【図６】コンテナー蓋の下面側斜視図
【図７】（Ａ）コンテナー蓋の上面側部分拡大斜視図、（Ｂ）コンテナー蓋の下面側部分拡大斜視図
【図８】コンテナー蓋と共に積み上げられたＳＮコンテナーの上面側斜視図
【図９】コンテナー蓋と共に積み上げられたＳＮコンテナーの破断斜視図
【図１０】コンテナー蓋と共に積み上げられたＳＮコンテナーの一部拡大破断斜視図
【図１１】図１０のＡ−Ａ破断面における平断面図
【図１２】スタッキング状態に積み上げられたＳＮコンテナーの一部拡大破断斜視図
【図１３】第２実施形態のＳＮコンテナーをコンテナー蓋及び小型ＳＮコンテナーと共に積み上げた状態の上面側斜視図
【図１４】小型ＳＮコンテナーの下面側斜視図
【図１５】ＳＮコンテナーと小型ＳＮコンテナーとをスタッキングした状態の上面側斜視図
【図１６】ＳＮコンテナーと小型ＳＮコンテナーとをネスティングした状態の上面側斜視図
【図１７】第３実施形態のコンテナー蓋の上面側斜視図
【図１８】そのコンテナー蓋の下面側斜視図
【図１９】ＳＮコンテナーをコンテナー蓋及び小型ＳＮコンテナーと共に積み上げた状態の上面側斜視図
【図２０】ＳＮコンテナーをコンテナー蓋及び小型ＳＮコンテナーと共に積み上げた状態の破断斜視図
【図２１】ＳＮコンテナーをコンテナー蓋及び小型ＳＮコンテナーと共に積み上げた状態の一部拡大破断斜視図
【図２２】従来のＳＮコンテナーとコンテナー蓋の上面側斜視図
【図２３】従来のＳＮコンテナーとコンテナー蓋の側断面図
【図２４】本願発明の対比例としてのコンテナー蓋の上面側斜視図
【図２５】本願発明の対比例としてのコンテナー蓋と共に積み上げられたＳＮコンテナーの一部拡大破断斜視図
【符号の説明】
【００５０】
１０    コンテナー
１５    底壁
１５Ｚ  座部
１６，２０    側壁
２２    角溝壁
２２Ｄ  スタッキング当接面
２３    寄せリブ
２４    スタッキング載置部
２４Ａ  上面突起
２４Ｂ  内向側面
３０，３０Ｖ    コンテナー蓋
３０Ｋ  載置陥没部
３０Ｚ  座部受容部
３１    載置部カバー壁
３４Ｄ  段差壁
４０    蓋上面突起
４１    突起カバー部
４２    リブ逃がし孔
４４    中央区画部
４５    座部逃がしスリット
５０    小型ＳＮコンテナー
【図１】
0004958229.tif 000002
【図２】
0004958229.tif 000003
【図３】
0004958229.tif 000004
【図４】
0004958229.tif 000005
【図５】
0004958229.tif 000006
【図６】
0004958229.tif 000007
【図７】
0004958229.tif 000008
【図８】
0004958229.tif 000009
【図９】
0004958229.tif 000010
【図１０】
0004958229.tif 000011
【図１１】
0004958229.tif 000012
【図１２】
0004958229.tif 000013
【図１３】
0004958229.tif 000014
【図１４】
0004958229.tif 000015
【図１５】
0004958229.tif 000016
【図１６】
0004958229.tif 000017
【図１７】
0004958229.tif 000018
【図１８】
0004958229.tif 000019
【図１９】
0004958229.tif 000020
【図２０】
0004958229.tif 000021
【図２１】
0004958229.tif 000022
【図２２】
0004958229.tif 000023
【図２３】
0004958229.tif 000024
【図２４】
0004958229.tif 000025
【図２５】
0004958229.tif 000026